(57)【要約】      （修正有）【課題】使用する人の用途に応じ使い分けられる両面使用携帯メモボードを提供する。【解決手段】ボード甲とボード乙が、軸棒Ｄを蝶番として回動するメモボードであって、ボード甲のＡ面の裏側にＧ面を配し、ボード乙のＢ面の裏側にＨ面を配する。Ａ面に、メモ用紙を配するための切り込み部分２を備え、Ｇ面にメモ用紙又は、メモ帳を挟み込んでもずり落ちないよう、上下一対のゴム内蔵の紐が取り付けられる。Ａ面には、携帯電話で通話中にとっさのメモがとれるメモ機能を、裏面のＧ面には、バインダー機能を持たせ、使い勝手に応じ、様々な用途に使用できる。【選択図】図１
0003185057.tif 000002
【実用新案登録請求の範囲】
【請求項１】
ボード甲とボード乙が、軸棒Ｄを蝶番として回動するメモボードであって、前記ボード甲のボードＡ面の裏側にボードＧ面を配し、前記ボード乙のボードＢ面の裏側にボードＨ面を配することを特徴とする両面使用携帯メモボード。
【請求項２】
前記ボードＡ面にメモ用紙を切込み部分２に配することを特徴とする請求項１の両面使用携帯メモボード。
【請求項３】
前記ボードＧ面にメモ用紙又は、メモ帳を挟み込んでもずり落ちないよう、上下一対のゴム内蔵の紐Ｉが取り付けられていることを特徴とする請求項１の両面使用携メモボード。
【請求項４】
前記ボード乙を不透明なボードにすることにより、他人からの閲覧防止効果を持つことを特徴とする請求項１の両面使用携メモボード。
【考案の詳細な説明】
【技術分野】
【０００１】  本考案は、両面使用携帯メモボードに関するものである。具体的には、メモボードの表裏両面が使用できるようになっており、表面には、携帯電話での通話中等にとっさのメモがとれるメモ帳機能が、裏面には、メモ用紙以外のメモ帳等も挟み込めるようにバインダー機能が施してあり、ＴＯ−ＤＯ−ＬＩＳＴ等のメモ用としても使用できる。また、他人からの閲覧防止目的も兼ねた下敷の機能を果たすボードが付いた、表裏の両面を１組とする２枚のボードで構成された両面使用携帯メモボードに関するものである。
【背景技術】
【０００２】  従来の携帯用メモにおいては、片面のみの使用しかできず、メモする内容についても、とっさに書き留める備忘用、或いは、ＴＯ−ＤＯ−ＬＩＳＴ的な備忘録のいずれかである。書き留める内容については、重要性の違い、保持すべき時間の長短も異なるため、一律、同一書面に記載すると不都合がある。
【先行技術文献】
【特許文献】
【０００３】
【特許文献１】実開昭６３−１７６６７３号公報
【考案の概要】
【考案が解決しようとする課題】
【０００４】  本考案の両面使用携帯メモボードが解決しようとする課題は、書き留める内容の重要性、保持の必要性・保持の必要な時間の違いを考慮し、同一書面にこれらすべてを書き留める事による非合理性の解消にある。
【課題を解決するための手段】
【０００５】  本考案は、ボード甲とボード乙が、軸棒Ｄを蝶番として回動するメモボードであって、前記ボード甲のボードＡ面の裏側にボードＧ面を配し、前記ボード乙のボードＢ面の裏側にボードＨ面を配することを特徴とする両面使用携帯メモボードである。
また、本考案は、上記において、前記ボードＡ面にメモ用紙を切込み部分２に配すること、前記ボードＧ面にメモ用紙又は、メモ帳を挟み込んでもずり落ちないよう、上下一対のゴム内蔵の紐Ｉが取り付けられていること、及び前記ボード乙を不透明なボードにすることを含む。
【考案の効果】
【０００６】  本考案の両面使用携帯メモボードは、メモを書きとめるボードの表裏の両面が使用でき、携帯電話等で通話中にとっさのメモや備忘録等記載内容により使い分けが出来る。携行性という点においても、ポケット、カバン等に入れて携帯できるのはもとより、ネックストラップ等とも繋いで携帯でき、盗難防止や落下防止効果も備わっている。また、メモを書き留める際に下敷きとなるボードについては、本来の下敷き機能だけでなく、使用していない面の記載内容が他人から閲覧されないようにする目隠しの役割も併せ持っている。
【図面の簡単な説明】
【０００７】
【図１】図１は、本考案のメモ用ボードの表面の機能を示した外観図である。
【図２】図２は、本考案のメモ用ボードの表面の使用状態を示す側面図である。
【図３】図３は、本考案のメモ用ボードの裏面の機能を示した外観図である。
【図４】図４は、本考案のメモ用ボードの裏面の使用状態を示す側面図である。
【図５】図５は、本考案の両面使用携帯メモボードの立体的な全体図である。
【考案を実施するための形態】
【０００８】    本考案の実施例について図に基き説明する。
図１の本考案の両面使用携帯メモボードは、出来上がり寸法縦約１４ｃｍ、横約８ｃｍ、厚さ約３ｍｍ程度の革、或いは、合皮、布等を素材とした表面裏面の２面一組からなるボード２枚で構成されている。メモボード機能を果たす１枚目のボード甲のボードＡ面には、上下それぞれ約１ｃｍのところに、幅約７ｃｍの切込み２が入れてあり、メモ用紙が挟みこめるようになっている。下敷きとしての機能を果たしつつ、他人からの閲覧防止の役割も果たす二枚目のボード乙のボードＢ面には、下敷としての機能を果たす為に強度を持たせるべく、内部に補強材を入れている。これら２枚のボードＡ面とボードＢ面は、軸棒Ｄ（長さ約１５ｃｍ）を蝶番として取り付けられている。更には、ボードＢ面の左側側面には、ペンの径（太さ）に応じて幅が調整できる収納・引き出し式のペンホルダーＣが配置されている。
【０００９】  図２について説明すると、メモ用紙１の装着方法は、ボードＡ面の上下２箇所に入れられている切込部分２にメモ（１枚のみ、或いは複数枚数を重ねて）を挟み込み使用可能となる。また、ボード甲の右側側面は、空洞状となっておりポケットＥとして活用ができ、予備のメモ用紙を保管することが出来る。
【００１０】  図３について説明すると、図１のボードＡ面の裏面となるボードＧ面には、上下約１ｃｍの箇所に幅約５〜７ｍｍのゴムを両端に内蔵した紐Ｉを配置し、その他のメモ帳、又は、メモ用紙３を挟み込めるようになっており、紐Ｉに内臓されたゴムが、メモ帳、又は、メモ用紙３の枚数や厚みに応じて収縮し、ジャストフィットに挟み込むことが出来る。ボードＧ面は、ボードＡ面の裏面であり、ボードＨ面は、ボードＢ面の裏面となっており、軸棒Ｄを基点に折り返せば、それぞれの面が随意使用可能となる。
【００１１】  図４について説明すると、メモ帳又はメモ用紙３の装着方法は、図３でも記述の通り、メモボードＧ面に取り付けられている上下一対の紐Ｉには、厚み、枚数に応じて収縮自在のゴムが内蔵されており、様々な厚みのメモ帳又はメモ用紙３の装着が可能である。上記、ボード乙（ボードＢ面とボードＨ面の両面から構成）は、メモを取る際の下敷としての機能以外に、ボード甲（ボードＡ面とボードＧ面の両面から構成）の使用していない面を他人から閲覧されるのを防止する役割も果たす。
【００１２】  図５について説明すると、両面使用携帯メモボードは、ポケットやバッグにそのまま入れて携帯する以外にも、ストラップ穴４にネックストラップやキーホルダーが繋ぎとめられるため、首からぶら下げて携帯したり、バッグやカバン等とも繋ぎとめて携帯できるため、盗難や紛失や落下防止にも効果がある。更には、両面使用携帯メモボードの四隅には金具５が取り付けられており、デザイン性に優れているだけでなく、型崩れ防止の役割も果たしている。
【産業上の利用可能性】
【００１３】  本考案は、メモ用紙、又は、メモ帳の両面を使用する人により様々な用途に使用出来る両面使用携帯用メモボードを提供するものである。
【符号の説明】
【００１４】１  メモ用紙
２  切込み部分
３  メモ用紙又はメモ帳
４  ストラップ穴
５  型くずれ防止金具
甲  ボードＡ及びボードＧからなるボード
乙  ボードＢ及びボードＨからなるボード
【図１】
0003185057.tif 000003
【図２】
0003185057.tif 000004
【図３】
0003185057.tif 000005
【図４】
0003185057.tif 000006
【図５】
0003185057.tif 000007
【手続補正書】
【提出日】平成25年6月4日(2013.6.4)
【手続補正１】
【補正対象書類名】実用新案登録請求の範囲
【補正対象項目名】全文
【補正方法】変更
【補正の内容】
【実用新案登録請求の範囲】
【請求項１】
ボード甲とボード乙が、軸棒Ｄを蝶番として回動するメモボードであって、前記    
ボード甲のボードＡ面の裏側にボードＧ面を配し、前記ボード乙のボードＢ面の
裏側にボードＨ面を配することを特徴とする両面使用携帯メモボード。
【請求項２】
前記ボードＡ面は、メモ用紙を配するための切り込み部分２を備えることを特徴とする請求項１の両面使用携帯メモボード。
【請求項３】
前記ボードＧ面にメモ用紙又は、メモ帳を挟み込んでもずり落ちないよう、上下一対のゴム内蔵の紐Ｉが取り付けられていることを特徴とする請求項１の両面使用携帯メモボード。
【請求項４】
前記ボード乙を不透明なボードにすることにより、他人からの閲覧防止効果を持つことを特徴とする請求項１の両面使用携帯メモボード。